(57)【要約】【課題】製造費用を抑制しながらも高級感を生じさせることができるとともに、衛生面や取り扱い面などにおいても優れたものとすることが可能な棚構造を提供する。【解決手段】棚板部Ｂを有する、棚構造Ａであって、棚板部Ｂは、樹脂製の棚板本体部１と、この棚板本体部１上に積層された金属板２と、を備えており、金属板２には、厚み方向に貫通する少なくとも１つの孔部２１が設けられ、棚板本体部１には、孔部２１に進入し、かつ上端部が金属板２の上面２０よりも上方に突出する少なくとも１つの凸状部１１が設けられている。【選択図】  図１
2017042424.tif 000002
【特許請求の範囲】
【請求項１】
棚板部を有する、棚構造であって、
前記棚板部は、樹脂製の棚板本体部と、この棚板本体部上に積層された金属板と、を備えており、
前記金属板には、厚み方向に貫通する少なくとも１つの孔部が設けられ、
前記棚板本体部には、前記金属板の孔部に進入し、かつ上端部が前記金属板の上面よりも上方に突出する少なくとも１つの凸状部が設けられていることを特徴とする、棚構造。
【請求項２】
請求項１に記載の棚構造であって、
前記孔部および前記凸状部として、複数の孔部および凸状部が設けられており、
前記金属板の上面の少なくとも一部の領域は、平面視において前記複数の孔部および凸状部が縦横に並ぶように設けられた凹凸状領域とされている、棚構造。
【請求項３】
請求項１または２に記載の棚構造であって、
前記棚板本体部には、前記金属板の外周側面部を覆うように前記金属板の周囲を囲む上向きの突縁部が設けられている、棚構造。
【請求項４】
請求項３に記載の棚構造であって、
前記突縁部は、前記金属板の外周縁部の上側をも覆うように設けられている、棚構造。
【請求項５】
請求項１ないし４のいずれかに記載の棚構造であって、
前記金属板および前記棚板本体部には、これらの厚み方向に一連に貫通する通水可能な貫通孔が設けられている、棚構造。
【請求項６】
請求項１ないし５のいずれかに記載の棚構造であって、
前記棚板部として、複数の棚板部を備えており、
これら複数の棚板部が上下高さ方向に間隔を隔てて並ぶように、前記複数の棚板部どうしを互いに連結可能な第１の連結手段を、さらに備えている、棚構造。
【請求項７】
請求項１ないし６のいずれかに記載の棚構造であって、
前記棚板部として、複数の棚板部を備えており、
これら複数の棚板部が略水平方向に隣接した横並び状となるように、前記複数の棚板部どうしを互いに連結可能な第２の連結手段を、さらに備えている、棚構造。
【発明の詳細な説明】
【技術分野】
【０００１】
本発明は、浴室やその他の場所において、所望の物品を載置して保管するのに利用される棚構造に関する。
【背景技術】
【０００２】
本出願人は、浴室用の棚構造の一例として、特許文献１に記載のものを先に提案している。
同文献に記載の棚構造は、浴室の壁部に取り付けられる枠体に、平板状の棚板部が支持されている。棚板部は、木製、樹脂製、あるいは金属製である。
ここで、棚板部を木製とした場合には、棚板部が水分を吸収して腐食し易く、不衛生になり易いなどの不具合がある。樹脂製とした場合には、そのような不具合を解消し得るものの、高級感をもたせることが難しく、高級感が要望される用途には余り適さない。これに対し、棚板部をステンレスなどの金属製とした場合には、高級感をもたせることが可能であるものの、棚板部の厚みを比較的大きくすると、全体の重量がかなり大きくなる他、材料費が嵩み、製造コストが高価となる。これを解消すべく棚板部を薄板状にすると、棚板部が貧相となって高級感が損なわれる他、物品を載置した際に撓み変形などを生じ易くなる不具合がある。また、棚板部のエッジ部分が鋭利となって、安全性においても不具合を生じる。
【先行技術文献】
【特許文献】
【０００３】
【特許文献１】特開２０１５−１１９８５５号公報
【発明の概要】
【発明が解決しようとする課題】
【０００４】
本発明は、前記したような事情のもとで考え出されたものであり、製造費用を抑制しながらも高級感を生じさせることができるとともに、衛生面や取り扱い面などにおいても優れたものとすることが可能な棚構造を提供することを、その課題としている。
【課題を解決するための手段】
【０００５】
上記の課題を解決するため、本発明では、次の技術的手段を講じている。
【０００６】
本発明により提供される棚構造は、棚板部を有する、棚構造であって、前記棚板部は、樹脂製の棚板本体部と、この棚板本体部上に積層された金属板と、を備えており、前記金属板には、厚み方向に貫通する少なくとも１つの孔部が設けられ、前記棚板本体部には、前記金属板の孔部に進入し、かつ上端部が前記金属板の上面よりも上方に突出する少なくとも１つの凸状部が設けられていることを特徴としている。
【０００７】
このような構成によれば、次のような効果が得られる。
第１に、棚板本体部上には金属板が設けられているために、棚板部全体を樹脂製にしただけでは生じさせることができない高級感を生じさせ、商品価値を高めることが可能である。
第２に、金属板として、たとえばステンレス鋼板などの耐食性に優れたものを用いることにより、棚板部全体を耐腐食性に優れたものとし、衛生的なものとすることができる。
第３に、金属板を薄板状とした場合であっても、樹脂製の棚板本体部によって金属板を支持し、撓み変形などが容易に生じないようにすることが可能である。このため、金属板の薄肉化を図り、全体の製造コストが高価になったり、重量が大きくなることを適切に抑
制することが可能である。
第４に、金属板の上面上には、棚板本体部に設けられた凸状部の先端部が突出しているため、たとえばこの先端部に滑り止めの役割を果たさせ、棚板部上に載せられた物品の位置ずれ防止などを図ることが可能である。棚構造を浴室に設置して使用するような場合には、棚板部や棚板部上に載せられた物品に水が掛かり、物品が位置ずれし易くなるなどの虞があるが、本発明によれば、そのような虞を好適に防止することが可能である。
第５に、棚板本体部に設けられた凸状部が金属板の孔部に進入する構造を利用することにより、棚板本体部と金属板との結合を強固なものとし、金属板の浮き上がりやがたつきを防止し得るといった効果も得られる。
【０００８】
本発明において、好ましくは、前記孔部および前記凸状部として、複数の孔部および凸状部が設けられており、前記金属板の上面の少なくとも一部の領域は、平面視において前記複数の孔部および凸状部が縦横に並ぶように設けられた凹凸状領域とされている。
【０００９】
このような構成によれば、前記凹凸状領域の存在により、棚板部上に載せられた物品の滑り止め作用をより効果的に得ることができる。
【００１０】
本発明において、好ましくは、前記棚板本体部には、前記金属板の外周側面部を覆うように前記金属板の周囲を囲む上向きの突縁部が設けられている。
【００１１】
このような構成によれば、金属板の外周のエッジ部分に直接手が触れないようにし、安全性を高めることができる。また、棚板本体部と金属板との結合をより強固とする効果も得られる。
【００１２】
本発明において、好ましくは、前記突縁部は、前記金属板の外周縁部の上側をも覆うように設けられている。
【００１３】
このような構成によれば、金属板が棚板本体部上に浮き上がるようなことを防止する上で、より好ましいものとなる。
【００１４】
本発明において、好ましくは、前記金属板および前記棚板本体部には、これらの厚み方向に一連に貫通する通水可能な貫通孔が設けられている。
【００１５】
このような構成によれば、棚板部上に水が掛かったような場合に、この水を貫通孔を利用して棚板部の下方に流れ落とす水切り機能をもたせることができる。したがって、たとえば浴室などに設置して使用するのに一層適したものとすることができる。
【００１６】
本発明において、好ましくは、前記棚板部として、複数の棚板部を備えており、これら複数の棚板部が上下高さ方向に間隔を隔てて並ぶように、前記複数の棚板部どうしを互いに連結可能な第１の連結手段を、さらに備えている。
【００１７】
このような構成によれば、複数の棚板部が上下高さ方向に並んだ物品載置容量の大きい棚構造を簡易に構築することができる。
【００１８】
本発明において、好ましくは、前記棚板部として、複数の棚板部を備えており、これら複数の棚板部が略水平方向に隣接した横並び状となるように、前記複数の棚板部どうしを互いに連結可能な第２の連結手段を、さらに備えている。
【００１９】
このような構成によれば、１枚の棚板部のサイズが比較的小さい場合であっても、これらを横並び状に連結し、物品載置領域の大きい棚構造を簡易かつ合理的に構築することが
できる。
【００２０】
本発明のその他の特徴および利点は、添付図面を参照して以下に行なう発明の実施の形態の説明から、より明らかになるであろう。
【図面の簡単な説明】
【００２１】
【図１】（ａ）は、本発明に係る棚構造の一例を示す斜視図であり、（ｂ）は、（ａ）のIb−Ib断面図である。
【図２】（ａ）は、図１に示す棚構造における棚板部の斜視図であり、（ｂ）は、（ａ）のIIb−IIb断面図であり、（ｃ）は、（ａ）のIIc−IIc断面図である。
【図３】（ａ）は、本発明の他の例を示す斜視図であり、（ｂ）は、（ａ）のIIIb−IIIb断面図である。
【図４】（ａ）は、本発明の他の例を示す斜視図であり、（ｂ）は、（ａ）のIVb−IVb断面図である。
【図５】（ａ）〜（ｅ）は、本発明の他の例を示す要部断面図である。
【発明を実施するための形態】
【００２２】
以下、本発明の好ましい実施の形態について、図面を参照して具体的に説明する。
【００２３】
図１に示す棚構造Ａは、たとえば浴室の洗い場などの床上に設置して使用するのに適する可搬式の床置き棚として構成されている。この棚構造Ａは、複数の棚板部Ｂが複数の連結用支柱３を介して連結されていることにより、上下高さ方向に並んだ構造とされている。
【００２４】
棚板部Ｂは、繊維強化樹脂などの樹脂製の棚板本体部１の上面上に、金属板２を積層させた構成であり、たとえば棚板本体部１をスタンパブル成形する際に、成形用の上型と下型との間に金属板２を挟み込むことにより、棚板本体部１と金属板２との接合を図ったものである。
金属板２は、平面視略矩形の平板状であり、耐食性に優れた材質、たとえばステンレス製である。ステンレスとしては、抗菌処理ステンレスを用いることができる。金属板２には、後述する複数の孔部２１、および複数の貫通孔２２，２３が設けられている。
【００２５】
図２によく表われているように、棚板本体部１は、全体の基本形状が平面視略矩形の平板状であり、この棚板本体部１には、複数の凸状部１１、外周縁部に設けられた起立状の突縁部１２、および下向き凸部１３が一体的に設けられている。複数の凸状部１１は、棚板本体部１の上面から上向きに突出し、金属板２に設けられた複数の孔部２１に進入している。各凸状部１１の上端部は、金属板２の上面よりも適当な寸法Ｌ突出している。寸法Ｌは、たとえば、十分の数ｍｍ程度であるが、これに限定されない。複数の孔部２１および凸状部１１は、平面視において、金属板２の上面の広い領域にわたって縦横に並ぶように設けられており、これらが設けられた領域は、凹凸状領域となっている。
【００２６】
突縁部１２は、棚板本体部１の外周縁部から上方に起立した平面視ループ状の部位であり、金属板２の外周側面部２４に密着した状態でこの外周側面部２４を覆っている。突縁部１２の上部の一部１２ａは、棚板本体部１の中央寄りに突出し、かつ金属板２の上面２０のうち、外周縁寄り部分に密着した状態でこの部分の上側を覆っている。複数の下向き凸部１３は、たとえば棚板本体部１の下面部の四隅またはこれらの近傍に設けられている。
【００２７】
金属板２および棚板本体部１には、これらを上下厚み方向に貫通する複数の貫通孔２２，２３が設けられている。貫通孔２２は、棚板部Ｂに水が掛かったような場合に、この水
を棚板部Ｂの下方に流れ落とすための通水孔として機能し得る部位であり、たとえば棚板部Ｂの中央部近辺に複数箇所設けられている。ただし、本発明はこれに限定されず、たとえば複数の貫通孔２２を棚板部Ｂの広い領域に点在させるように設けてもよい。また、余り望ましくはないが、貫通孔２２を１箇所のみ設けた構成とすることもできる。
【００２８】
複数の貫通孔２３は、図１に示した連結用支柱３の取付けに用いられる部分であって、通水孔として機能し得る部位ではない。これらの貫通孔２３は、棚板部Ｂの四隅またはこれらの近傍に設けられている。貫通孔２３の形成箇所には、図２（ｃ）で示す第１および第２の補助部材４ａ，４ｂ、あるいは図１に示す第３および第４の補助部材４ｃ，４ｄが装着される。連結用支柱３、ならびに第１ないし第４の補助部材４ａ〜４ｄは、本発明でいう第１の連結手段の一例に相当する。
【００２９】
図２（ｃ）において、第１および第２の補助部材４ａ，４ｂは、貫通孔２３内にその上方および下方からそれらの一部分を挿入させることにより、たとえばネジ部４０ａ，４０ｂを介して互いに連結可能である。補助部材４ａ，４ｂの頭部４１には、雌ネジ部４２ａ，４２ｂが設けられている。これらの雌ねじ部４２ａ，４２ｂには、図１（ｂ）に示すように、連結用支柱３のネジ軸部３０が螺合連結される。このことにより、複数の棚板部Ｂが上下に間隔を隔てて複数段に配置するように設定される。最上段の棚板部Ｂの上面側においては、第１の補助部材４ａに代えて、第３の補助部材４ｃが用いられている。また、最下段の棚板部Ｂの下面側においては、第２の補助部材４ｂに代えて、第４の補助部材４ｄが用いられている。第３の補助部材４ｃは、第２の補助部材４ｂとの連結が可能なネジ部４０ｃを有するが、その頭部４１ｃはネジ部を有しない体裁のよいものとされている。第４の補助部材４ｄは、第１の補助部材４ａとの連結が可能なネジ部４０ｄを有するが、その頭部４１ｄはやはりネジ部を有しないものとされている。図１（ｂ）においては、第４の補助部材４ｄの頭部４１ｄが床面９０に直接接触した状態に示されているが、好ましくは、頭部４１ｄの下面側には、ゴムまたは樹脂製などの滑り止め材またはクッション材が設けられ、これらが床面９０に接触するように設定される。
【００３０】
次に、前記した棚構造Ａの作用について説明する。
【００３１】
まず、棚構造Ａは、たとえば浴室の洗い場などの床上に設置して使用され、入浴用品などを載置・保管するのに利用される。ここで、棚板部Ｂは、樹脂製の棚板本体部１上に金属板２が積層された構造であるため、棚板部Ｂの全体を樹脂製にしただけでは得ることが困難な高級感を生じさせることが可能である。また、金属板２は、たとえばステンレス製であるため、棚板部Ｂを耐腐食性に優れたものとし、衛生的なものにすることもできる。金属板２は、棚板本体部１によって支持された状態であるため、金属板２の厚みを薄くしたとしても、この金属板２に撓み変形などが生じないようにすることが可能である。このため、金属板２の薄肉化を図り、全体の製造コストが高価になることを抑制することができる。また、重量の増大も適切に抑制することができる。
【００３２】
金属板２の上面２０上には、棚板本体部１の凸状部１１の先端部が突出し、金属板２の上面２０が凹凸状領域とされているため、棚板部Ｂ上に載せられた物品の滑り止めを図り、物品が容易に位置ずれしないようにすることが可能である。棚板部Ｂ上にはシャワー水などの湯水が掛かる場合があるが、このような湯水は、複数の貫通孔２２を介して棚板部Ｂの下方に流れ落とすことが可能である。したがって、棚板部Ｂの水切り性をよくし、より衛生的なものとすることができる。
【００３３】
金属板２の孔部２１には棚板本体部１の凸状部１１が密に接触した状態で進入しているため、金属板２と棚板本体部１との接合強度を高くし、金属板２が棚板本体部１の上方に浮き上がらないようにすることが可能である。また、棚板本体部１の突縁部１２の上部は
、金属板２の上面２０の外周縁寄り部分の上側を覆っているため、金属板２の外周縁部が上方に浮き上がるようなことも確実に防止される。突縁部１２は、金属板２の外周側面部２４をも覆っているため、ユーザの手が金属板２のエッジ部分に直接接触するようなこともなく、安全性にも優れる。
【００３４】
その他、本実施形態の棚構造Ａは、実質的に同一構造に製作された複数の棚板部Ｂが、複数の連結用支柱３や、第１ないし第４の補助部材４ａ〜４ｄを用いて連結された構造であるため、その構成は簡易であり、組み立て作業性もよい。さらに、棚板部Ｂや連結用支柱３などの数を変更することにより、棚構造Ａの全体のサイズ変更（棚板部の段数の増減）も容易に行なうことが可能である。
【００３５】
図３〜図５は、本発明の他の実施形態を示している。これらの図において、前記実施形態と同一または類似の要素には、前記実施形態と同一の符号を付すこととし、重複説明は省略する。
【００３６】
図３に示す棚構造Ａ１においては、２つの棚板部Ｂが横並び状に配列され、かつこれらは、一対の連結板５を介して相互に連結されている。連結板５は、金属製または樹脂製などであり、２つの棚板部Ｂの下側に配される略水平状の帯状板部５０と、この帯状板部５０の長手方向（図３（ｂ）の左右方向）の両端部から下向きに突出した脚部５１とを有している。棚板部Ｂには、貫通孔２３を利用して上下複数対の補助部材４ｂ，４ｃ（前記実施形態の第２および第３の補助部材４ｂ，４ｃに相当）が装着されており、補助部材４ｂの雌ネジ部４２ｂに螺合されるボルト５９を利用して、連結板５の連結が図られている。連結板５、補助部材４ｂ，４ｃ、およびボルト５９は、本発明でいう第２の連結手段の一例に相当する。
【００３７】
本実施形態によれば、各棚板部Ｂのサイズが比較的小さい場合であっても、全体の物品載置領域の面積を大きくすることが可能である。なお、本実施形態とは異なり、３以上の棚板部Ｂを横並び状に連結した構成としてもよい。本実施形態では、連結板５の脚部５１を床面上に載置して使用する例を示しているが、横並び状に配列させて連結した複数の棚板部Ｂを、どのように配置して用いるかは適宜に選択できる事項である。棚板部Ｂに設けられる貫通孔２３の数を多くし、この貫通孔２３に図１に示した連結用支柱３を連結することにより、図３に示した横並び状の棚板部Ｂを、図１に示したように上下複数段に設けることも可能である。
【００３８】
図４に示す棚構造Ａ２においては、棚板部Ｂを構成する棚板本体部１の一側縁部に、この一側縁部から下向きに突出する取付け板部１８が一体的に連設されている。この取付け板部１８には、ビスなどのネジ体５８が挿通されるネジ体挿通用孔１８ａが設けられており、取付け板部１８は、たとえば浴室の壁部９１（浴室内洗面台の壁部を含む）に当接した状態でネジ止めされる。
本実施形態から理解されるように、本発明に係る棚構造は、所望の壁部に固定して取り付けられるタイプに構成することもできる。可搬式の床置きタイプに限定されない。
【００３９】
図５は、金属板２の孔部２１、および棚板本体部１の凸状部１１についての変形例を示している。
同図（ａ），（ｂ）においては、凸状部１１の上部が孔部２１よりも大径とされ、かつこの大径部分が金属板２の上面２０の一部を覆っている。このような構成によれば、凸状部１１の上部が金属板２の浮き上がりを防止する役割を果たす。したがって、金属板２と棚板本体部１との密着性や接合強度を高める上で、より好ましいものとなる。
同図（ｃ）〜（ｅ）においては、金属板２の孔部２１が下部側ほど小径となるテーパ状とされ、凸状部１１の周面は、孔部２１のテーパ状の内周面に密接している。このような
構成によれば、凸状部１１の周面が金属板２の浮き上がりを防止する役割を果たす。
同図（ｃ）においては、凸状部１１の上部が金属板２の上面２０を覆っているため、金属板２の浮き上がり防止効果が一層高められる。同図（ｄ）においては、凸状部１１の上部に小突起部１１ａが形成されているが、本発明においては、このような態様とすることも可能である。同図（ｅ）においては、金属板２の孔部２１の周壁部分２１ａが下方に曲げられた形態とされている。このような構成によれば、棚板本体部１に対して金属板２の一部が食い込んだ状態となり、棚板本体部１と金属板２との接合強度をより高めることが可能である。
【００４０】
本発明は、上述した実施形態の内容に限定されない。本発明に係る棚構造の各部の具体的な構成は、本発明の意図する範囲内において種々に設計変更自在である。
【００４１】
棚板本体部や金属板の具体的な形状、サイズ、材質などは、棚構造の具体的な用途などに応じて適宜変更することができる。なお、本発明に係る棚構造は、浴室用に好適であるが、これに限定されず、たとえば洗面所や厨房など、様々な場所に設置して用いることが可能である。
【００４２】
金属板２の孔部２１、および棚板本体部１の凸状部１１の具体的な形状などは、図５などに記載されたもの以外の形態とすることが可能である。孔部２１は、平面視円形状に限らず、平面視長円状、矩形状、あるいはその他の形状にすることができる。棚板本体部１の凸状部１１も同様である。
【符号の説明】
【００４３】
Ａ，Ａ１，Ａ２  棚構造
Ｂ  棚板部
１  棚板本体部
１１  凸状部
１２  突縁部
２  金属板
２０  上面
２１  孔部
２２  貫通孔
２４  外周側面部
３  連結用支柱（第１の連結手段）
４ａ〜４ｄ  第１ないし第４の補助部材（第１の連結手段）
５  連結板（第２の連結手段）
４ｂ，４ｃ  補助部材（第２の連結手段）
５９  ボルト  （第２の連結手段）
【図１】
2017042424.tif 000003
【図２】
2017042424.tif 000004
【図３】
2017042424.tif 000005
【図４】
2017042424.tif 000006
【図５】
2017042424.tif 000007